(57)【要約】【課題】形状の異なる複数の開口に対応しうるカバー部材及び当該カバー部材を備える電子装置を提供することを課題とする。また、上記開口に安定に取り付けられるカバー部材及び当該カバー部材を備える電子装置を提供することを課題とする。【解決手段】ブランク部材５０は、電子装置に設けられた互いに形状が相違する第１、第２スロットを閉塞可能な形状を有した面５１ａ、５１ｂを有している。面５１ａ、５１ｂは形状が異なっている。これにより、単一のブランク部材５０で、互いに形状が相違する第１、第２スロットを択一的に塞ぐことができる。よって、複数のスロット毎に、ブランク部材を用意する必要はない。従って、コストの上昇が抑制される。【選択図】図２
2010087437.tif 000002
【特許請求の範囲】
【請求項１】
筐体の第１開口を閉塞可能な形状を有した第１面と、
前記第１開口と形状が異なる前記筺体の第２開口を閉塞可能な形状を有した第２面と、
前記第1面が前記第1開口を塞いだ状態で前記筐体と係合する第１係合部と、
前記第２面が前記第２開口を塞いだ状態で前記筐体と係合する第２係合部と、
を備え、
前記第１面により前記第１開口を、又は、前記第２面により前記第２開口を択一的に塞ぐことを特徴とするカバー部材。
【請求項２】
前記筐体は、前記第１係合部と係合可能な被係合部を有し、
前記第１係合部は、弾性変形可能であり、弾性変形した状態で前記被係合部と係合する、請求項２のカバー部材。
【請求項３】
前記筐体は、前記第１係合部と係合可能な被係合部を有し、
前記第１係合部は、前記被係合部との係合状態において前記被係合部からの離脱を規制する第１突部を含む、請求項２又は３のカバー部材。
【請求項４】
前記第１係合部は、溝部と、前記溝部上に形成された突部とを含む、請求項２のカバー部材。
【請求項５】
請求項１乃至４の何れかのカバー部材と、
前記筐体とを備えた、電子装置。
【発明の詳細な説明】
【技術分野】
【０００１】
本発明はカバー部材及び電子装置に関する。
【背景技術】
【０００２】
電子装置の例として、開口を有した筐体と、当該開口に挿抜可能な電子ユニットとを備えたものがある。当該開口に電子ユニットが挿入されない場合には、当該開口を塞ぐためのカバー部材が取付けられる。
【０００３】
【特許文献１】特開２０００−６８６６９号公報
【特許文献２】特開平４−２７９０９６号公報
【発明の開示】
【発明が解決しようとする課題】
【０００４】
筐体に形状の異なる複数の開口が形成されている場合には、開口の形状に合わせて、互いに形状が異なる複数のカバー部材を用意することになりコストアップにも繋がる。
【０００５】
そこで本発明は上記の課題に鑑みてなされたものであり、電子装置に備えられる筐体が有する形状の異なる複数の開口に対応しうるカバー部材及び当該カバー部材を備える電子装置を提供することを目的とする。また、上記開口に安定に取り付けられるカバー部材及び当該カバー部材を備える電子装置を提供することを目的とする。
【課題を解決するための手段】
【０００６】
上記課題を解決するために、本明細書に開示のカバー部材は、筐体の第１開口を閉塞可能な形状を有した第１面と、前記第１開口と形状が異なる前記筺体の第２開口を閉塞可能な形状を有した第２面とを備えている。これにより、単一のカバー部材で、第１、第２開口を択一的に塞ぐことができる。よって、第１、第２開口をそれぞれ塞ぐためのカバー部材を個別に用意する必要はない。
【０００７】
また、本明細書に開示されている電子装置は、上記のカバー部材と、前記筐体とを備えている。
【０００８】
また、本明細書に開示されている電子装置は、互いに形状が異なった第１及び第２開口を有する筐体と、前記第１及び第２開口をそれぞれ閉塞可能な形状を有した第１及び第２面を有したカバー部材とを備え、前記カバー部材は、前記第１面が前記第１開口を塞いだ状態で前記筺体と係合する係止片を有し、前記筐体は、前記係止片と係合する切欠部を有している。
【０００９】
また、本明細書に開示されている電子装置は、互いに形状が異なった第１及び第２開口を有する筐体と、前記第１及び第２開口をそれぞれ閉塞可能な形状を有した第１及び第２面を有したカバー部材とを備え、前記カバー部材は、前記第１面が前記第１開口を塞いだ状態で前記筺体と係合する溝部を有し、前記筐体は、ベース部と、突出量を変更可能に前記ベース部に連結されて前記溝部と係合可能な爪部とを含む。
【発明の効果】
【００１０】
形状の異なる複数の開口に対応しうるカバー部材及び当該カバー部材を備える電子装置を提供できる。また、上記開口に安定に取り付けられるカバー部材及び当該カバー部材を備える電子装置を提供できる。
【発明を実施するための最良の形態】
【００１１】
以下、本発明に係る複数の実施形態について図面を参照して説明する。
【実施例１】
【００１２】
図１は、実施例１の電子装置を示した図である。電子装置は、それぞれ上下に配置されたステー１０ａ、ステー１０ｂ、ステー１０ａとステー１０ｂとの間に挿入された複数の電子ユニット３０ａ、３０ｂ、ブランク部材５０を含む。尚、電子装置は、例えば無線基地局装置に備えられるものであるが、これに限定されない。
【００１３】
ステー１０ａ、１０ｂは、金属により形成されており、電子装置の筐体として機能する。ステー１０ａ、１０ｂとの間には、複数のスロットが画定されており、複数のスロットには、それぞれ複数の電子ユニット３０ａ、３０ｂが挿入されている。ステー１０ａ、１０ｂの背面側には、スロットに挿入された電子ユニット３０ａ、３０ｂをスロットの奥まで案内するためのレール（不図示）が設けられている。
【００１４】
また、電子ユニット３０ａ、３０ｂは、それぞれ、カード状に形成された筐体内に、プリント基板（不図示）と、プリント基板に実装された電子部品を内蔵している。また、プリント基板には、外部からの電源供給を確保するためのコネクタが実装されている。電子装置のスロットの奥まで、電子ユニット３０ａ、３０ｂが挿入されると、それぞれのコネクタは、電子装置の奥に配置されたバックプレーン（不図示）と電気的に接続する。
【００１５】
電子ユニット３０ａ、３０ｂは、それぞれ形状が相違している。詳細には、電子ユニット３０ａの厚みは、電子ユニット３０ｂの厚みより薄い。ステー１０ａとステー１０ｂとの間には、この形状の相違する電子ユニット３０ａ、３０ｂをそれぞれ挿抜可能なスロットが形成されている。電子ユニット３０ａが挿抜可能なスロットを便宜上、第１スロット（第１開口）と、電子ユニット３０ｂが挿抜可能なスロットを、第２スロット（第２開口）と称する。第１、第２スロットは、長さは同一であるが幅が相違している。第１スロットの幅は、第２スロットの幅よりも狭い。尚、電子装置の複数のスロットは、それぞれが区分けされておらず連続しているが、区分けされてそれぞれが独立しているものであってもよい。
【００１６】
また、ブランク部材５０が第１、第２スロットを塞ぐようにステー１０ａ、１０ｂの間に取付けられている。ブランク部材５０は、電子ユニット３０ａ、３０ｂが挿入されていないスロットを塞ぐように、ステー１０ａ、１０ｂに取付けられている。ブランク部材５０は、以下の理由により取付けられる。電子ユニット３０ａ、３０ｂは、それぞれ発熱する電子部品を内蔵しているため、これらを冷却するために送風機を電子装置の下部又は上部に設置する場合がある。この場合に、電子ユニット３０ａ、３０ｂが挿入されていないスロットがあると、このスロットから冷却風が漏れ出して、冷却効率が低下することを防止する恐れがあるからである。冷却風の漏れを防止するためにブランク部材５０が取付けられる。ブランク部材５０は、合成樹脂により形成されているが金属であってもよい。
【００１７】
図２（Ａ）（Ｂ）は、ブランク部材５０の外観図である。図２（Ａ）（Ｂ）に示すように、ブランク部材５０は、面５１ａ、５１ｂを備えている。面５１ａ、５１ｂは、それぞれ第１面、第２面に相当する。面５１ａ、５１ｂは、直交している。換言すれば、ブランク部材５０は、長手方向での断面が略Ｌ字状である。ブランク部材５０の上端面には、係合片５５ａ、５５ｂが形成されている。同様に、ブランク部材５０の下端面にも、係合片５５ａ、５５ｂが形成されている。係合片５５ａ、５５ｂは、それぞれ面５１ａ、５１ｂの短辺に沿うように形成されている。面５１ａ、５１ｂは、幅が相違している。詳細には、面５１ａの幅は、面５１ｂの幅よりも狭い。また、面５１ａ、５１ｂには、それぞれ、取っ手５３ａ、５３ｂが形成されている。取っ手５３ａ、５３ｂは、スロットにブランク部材５０を取付ける際及びスロットからブランク部を取り外す際の取っ手として機能する。
【００１８】
次に、ブランク部材５０のステー１０ａ、１０ｂへの取付について説明する。図３（Ａ）（Ｂ）は、ブランク部材５０をステー１０ａへ取付ける際の斜視図である。図３（Ａ）は、係合溝（被係合部）１５ａに、係合片５５ｂを挿入する前の斜視図、図３（Ｂ）は、挿入後の斜視図である。この際には、面５１ａが電子装置の前面画を向く。即ち、第１スロットにブランク部材５０を取付ける状態を示している。
【００１９】
図３（Ａ）に示すように、係合片５５ａは、第１腕部５５１ａ、第２腕部５５３ａ、突部５５５ａを含む。同様に、係合片５５ｂは、第１腕部５５１ｂ、第２腕部５５３ｂ、突部５５５ｂを含む。係合片５５ａ、５５ｂは、弾性変形可能に設けられている。第１腕部５５１ａは、面５１ａの短辺に沿って、面５１ｂの短辺に向けて延びている。第２腕部５５３ａは、第１腕部５５１ａと逆向きに折り曲げられて第１腕部５５１ａと対向する。第２腕部５５３ａの先端には、突部５５５ａが形成されている。
【００２０】
図３（Ａ）に示すように、ステー１０ａは、係合溝１５ａが形成されている。係合溝１５ａに係合片５５ｂが挿入されると、係合片５５ｂの弾性復元力により、係合片５５ｂと係合溝１５ａとの係合状態が維持される。尚、係合片５５ａ、５５ｂは、それぞれの弾性変形を容易にするために、切り溝５６ａ、５６ｂが形成されている。係合溝１５ａは、被係合部に相当する。尚、係合溝１５ａは、複数のスロットに対応して、ステー１０ａに複数設けられている。ステー１０ｂにも同様に、切欠溝が形成されている。
【００２１】
図４（Ａ）（Ｂ）（Ｃ）は、係合片５５ａを係合溝１５ａに挿入する場合の説明図である。図５は、係合溝１５ａに係合片５５ａを挿入した状態での、ステー１０ａとブランク部材５０とを側面から見た図である。図４（Ａ）（Ｂ）（Ｃ）、図５の状態は、面５１ｂが電子装置の前面側を向く場合を示している。即ち、第２スロットにブランク部材５０を取付ける状態を示している。
【００２２】
尚、図５に示すように、ステー１０ａは、矩形波状のベース部１１ａと、ベース部１１ａの先端で連結された爪部１３ａとを含む。係合溝１５ａは，ベース部１１ａと爪部１３ａとに共通に設けられている。
【００２３】
図４（Ａ）に示すように、第１腕部５５１ａから第２腕部５５３ａまでの高さｆは、係合溝１５ａの幅ｇよりも大きい。また、折曲部から突部５５５ａまでの長さｅは、ベース部１１ａと爪部１３ａとをあわせた厚みｄと略同じであるか、または、厚みｄの方が若干長い。
【００２４】
図４（Ｂ）に示すように、係合溝１５ａに係合片５５ａを挿入途中の状態においては、係合溝１５ａにより、第２腕部５５３ａと第１腕部５５１ａとが接近するように弾性変形する。係合片５５ａが係合溝１５ａの奥まで挿入されると、突部５５５ａが係合溝１５ａ内を脱して、図４（Ｃ）に示すように、突部５５５ａは爪部１３ａの外面に係止される。
【００２５】
また、第１腕部５５１ａから第２腕部５５３ａまでの高さｆは、係合溝１５ａの幅ｇよりも大きいので、図４（Ｃ）に示した挿入後状態では、第１腕部５５１ａ、第２腕部５５３ａは、係合溝１５ａに対して横方向に弾性復元力を作用させる。この弾性復元力により、ブランク部材５０とステー１０ａとの横方向でのガタつきが抑制される。
【００２６】
また、折曲部から突部５５５ａまでの長さｅは、ベース部１１ａと爪部１３ａとをあわせた厚みｄと略同じであるか、または、厚みｄの方が若干長いので、挿入後状態においては、ベース部１１ａと突部５５５ｂが当接して、第１腕部５５１ｂと第２腕部５５３ｂとが若干接近するように弾性変形する。これにより、第１腕部５５１ｂ、第２腕部５５３ｂは、弾性復元力により、係合溝１５ａから係合片５５ａが抜かれる方向にブランク部材５０を付勢する。しかしながら、突部５５５ａと爪部１３ａとが当接しているため、第１腕部５５１ｂ、第２腕部５５３ｂの付勢力に抗して、突部５５５ａによる係止状態が維持される。これにより、ブランク部材５０の上下方向でのガタつきが抑制される。
【００２７】
以上のように、単一のブランク部材５０で、幅の異なる２種類のスロットを塞ぐことができる。このため、スロットに対応して形状の相違する２つのカバー部材を用意する必要は無いので、コストの上昇が抑制される。また、部品点数が削減されるので、部品管理の費用が抑制される。
【００２８】
また、上述したようにブランク部材５０はステー１０ａ、１０ｂに対してガタつきが抑制されるので、輸送時の破損、騒音を防止でき、更に、ブランク部材５０がステー１０ａ、１０ｂとガタつきによって摩耗や、削れカスが発生することを防止できる。尚、係合溝１５ａに、係合片５５ｂを挿入した場合も、前述した場合と同様に、係合片５５ａ、５５ｂによりガタつきが抑制される。
【００２９】
次に、電子ユニットの挿入について簡単に説明する。図６は、電子ユニット３０ａがスロットに挿入されてステー１０ａに取付けられている状態を示した図である。図６に示すように、電子ユニット３０ａとステー１０ａとの取付は、イジェクター７０により行われる。電子ユニット３０ａの側面に固定された３３ａと、イジェクター７０のレバー７３ａとが係合し、イジェクター７０の押え部７１ａが爪部１３ａに当接する。このように、電子装置に電子ユニット３０ａを挿入できる。尚、ステー１０ａは、連結部材９０によりレール８０と連結されている。
【実施例２】
【００３０】
次に、実施例２の電子装置について説明する。尚、実施例１と同様の部分については同様の符号を付することにより重複する説明を省略する。図７（Ａ）（Ｂ）（Ｃ）は、実施例２のブランク部材の説明図である。
【００３１】
ブランク部材６０は、詳しくは後述するが長手方向に対する断面が略三角形状である。ブランク部材６０は、互いに形状が異なる面６１ａ〜６１ｃを有している。面６１ａ〜６１ｃは、それぞれ幅が異なっており、面６１ａ〜６１ｃへ順に幅が大きくなる。ブランク部材６０は、互いに幅が相違する３つのスロット（第１〜第３スロット）を有している電子装置に採用できる。尚、面６１ａ〜６１ｃにはそれぞれ、取っ手６３ａ〜６３ｃが設けられている。
【００３２】
図８は、実施例２のブランク部材６０の上面図である。ブランク部材６０の上端面６４ａには、３つの係合溝６５ａ〜６５ｃが形成されている。尚、ブランク部材６０の下端面も同様に形成されている。係合溝６５ａ〜６５ｃは、それぞれ、面６１ａ〜６１ｃに沿うように延びている。また、係合溝６５ａ〜６５ｃのそれぞれには、途中で突部６５１ａ〜６５１ｃが形成されている。突部６５１ａ〜６５１ｃは、それぞれ係合溝６５ａ〜６５ｃを途中で分断するように設けられている。
【００３３】
次に、ブランク部材６０をステー２０ａに組み付ける際について説明する。図９（Ａ）（Ｂ）は、ステー２０ａに対するブランク部材６０の取付の説明図である。図９（Ａ）は、ステー２０ａにブランク部材６０の取付後の正面図、図９（Ｂ）は、側面図である。尚、図９（Ｂ）については、一部簡略化して示している。
【００３４】
図９（Ａ）（Ｂ）に示すように、ステー２０ａは、ベース部２１ａに複数の爪部２３ａが連結されている。ベース部２１ａと爪部２３ａは、ネジ２９により連結されている。爪部２３ａは、ベース部２１ａに突出量を変更可能に連結されている。具体的には、ベース部２１ａには、縦方向に延びた孔２８ａが形成されており、ネジ２９の位置を孔２８ａに沿って調整することができる。また、爪部２３ａは、ネジ２９と螺合したネジ穴が形成されている。孔２８に対するネジ２９の位置を変更することにより、ベース部２１ａに対する爪部２３ａの位置を変更することができ、これによりベース部２１ａからの爪部２３ａの突出量が変更される。
【００３５】
図９（Ａ）に示すように、爪部２３ａの先端には、凹部２４１ａ、２４２ａが形成されている。凹部２４１ａ、２４２ａは、それぞれ、ブランク部材６０の上端面６４ａに形成された、突部６５１ａ〜６５１ｃの何れかと係合する。係合の態様は、ステー２０ａに対するブランク部材６０の向きにより異なる。
【００３６】
図９（Ａ）に示した場合には、面６１ｂが正面を向いており、凹部２４１ａに突部６５１ｂが係合している。この係合により、ステー２０ａに対するブランク部材６０の横方向での位置ズレ、ガタつきが抑制される。詳細には、係合溝６５ｂの方向での、ステー２０ａに対するブランク部材６０の位置ズレが抑制される。
【００３７】
次に、ステー２０ａ、２０ｂへの、ブランク部材６０の取付手順について簡単に説明する。図１０は、ブランク部材６０の取付前を示した図である。図１０に示すように、爪部２３ａをベース部２１ａに対して最も突出していない位置でネジ２９により固定し、その状態で、ブランク部材６０の下端面６４ｂに形成された係合溝６５ｂを爪部２３ｂの先端と係合させる。次に、ブランク部材６０を垂直に維持した状態で、ネジ２９を緩めて爪部２３ａの先端と係合溝６５ｂとを係合させる。爪部２３ａと係合溝６５ｂとが係合した状態で、ネジ２９を締めることにより、ステー２０ａ、２０ｂにブランク部材６０が取付られる。
【００３８】
次に、爪部２３ａ、２３ｂの先端の形状について説明する。図１１（Ａ）は、爪部２３ａ周辺の拡大断面図、図１１（Ｂ）は、爪部２３ｂ周辺の拡大断面図である。図１１（Ａ）に示すように、爪部２３ａの最大の厚みは、係合溝６５ｂの幅よりも大きい。また。爪部２３ａの先端には傾斜面２５ａが形成されている。傾斜面２５ａは、爪部２３ａと係合溝６５ｂとが係合した状態で、係合溝６５ｂからはみ出している。また、傾斜面２５ａの先端は、係合溝６５ｂの底には接触していない。同様に、傾斜面２５ｂも係合溝６５ｂからはみ出しており、傾斜面２５ｂの先端は係合溝６５ｂの底には接触していない。このように、傾斜面２５ａ、２５ｂが爪部２３ａ、２３ｂの形状をくさび状に画定する。このため、爪部２３ａ、２３ｂと、ブランク部材６０との位置ズレ、ガタつきが抑制される。
【００３９】
次に、電子ユニットの挿入について簡単に説明する。図１２は、電子ユニット３０ａがスロットに挿入されてステー２０ａに取り付けられている状態を示した図である。図１２に示すように、電子ユニット３０ａとステー２０ａとの取付は、イジェクター７０により行われる。電子ユニット３０ａの側面に固定された３３ａと、イジェクター７０のレバー７３ａとが係合し、イジェクター７０の押え部７１ａが爪部１３ａに当接する。尚、この際、ベース部１１ａからの爪部１３ａの突出量を最小にしておく必要がある。このように、実施例２の電子装置に電子ユニット３０ａを挿入できる。
【００４０】
以上本発明の好ましい一実施形態について詳述したが、本発明は係る特定の実施形態に限定されるものではなく、特許請求の範囲に記載された本発明の要旨の範囲内において、種々の変形・変更が可能である。
【００４１】
（付記１）
筐体の第１開口を閉塞可能な形状を有した第１面と、
前記第１開口と形状が異なる前記筺体の第２開口を閉塞可能な形状を有した第２面とを備えたカバー部材。
（付記２）
前記第１面が前記第１開口を塞いだ状態で前記筺体と係合する第１係合部と、
前記第２面が前記第２開口を塞いだ状態で前記筐体と係合する第２係合部とを備えた、付記１のカバー部材。
（付記３）
前記筐体は、前記第１係合部と係合可能な被係合部を有し、
前記第１係合部は、弾性変形可能であり、弾性変形した状態で前記被係合部と係合する、付記１又は２のカバー部材。
（付記４）
前記筐体は、前記第１係合部と係合可能な被係合部を有し、
前記第１係合部は、前記被係合部との係合状態において前記被係合部からの離脱を規制する第１突部を含む、付記２又は３のカバー部材。
（付記５）
前記第２係合部は、弾性変形可能であり、前記第１係合部と前記被係合部とが係合したときに、前記被係合部と前記第１突部との当接が維持されるように前記筐体に対して弾性復元力作用させる、付記４のカバー部材。
（付記６）
前記第１係合部は、溝部と、前記溝部上に形成された突部とを含む、付記２のカバー部材。
（付記７）
前記第１及び第２開口と形状が異なる前記筺体の第３開口を閉塞可能な形状を有した第３面を備えた、付記１乃至６の何れかのカバー部材。
（付記８）
前記第３面が前記第３開口を塞いだ状態で前記筐体と係合する第３係合部を備えた、付記７のカバー部材。
（付記９）
長手方向と交差する断面の形状がＬ字状である、付記１乃至８の何れかのカバー部材。
（付記１０）
長手方向と交差する断面の形状が三角形状である、付記１乃至８の何れかのカバー部材。
（付記１１）
前記第１及び第２面にそれぞれ形成された第１及び第２取っ手を備える、付記１乃至１０の何れかのカバー部材。
（付記１２）
付記１乃至１１の何れかのカバー部材と、
前記筐体とを備えた、電子装置。
（付記１３）
互いに形状が異なった第１及び第２開口を有する筐体と、
前記第１及び第２開口をそれぞれ閉塞可能な形状を有した第１及び第２面を有したカバー部材とを備え、
前記カバー部材は、前記第１面が前記第１開口を塞いだ状態で前記筺体と係合する係止片を有し、
前記筐体は、前記係止片と係合する切欠部を有している、電子装置
（付記１４）
互いに形状が異なった第１及び第２開口を有する筐体と、
前記第１及び第２開口をそれぞれ閉塞可能な形状を有した第１及び第２面を有したカバー部材とを備え、
前記カバー部材は、前記第１面が前記第１開口を塞いだ状態で前記筺体と係合する溝部を有し、
前記筐体は、ベース部と、突出量を変更可能に前記ベース部に連結されて前記溝部と係合可能な爪部とを含む、電子装置
（付記１５）
前記爪部は、先端がくさび状に形成されている、付記１４の電子装置
（付記１６）
前記溝部上には、突部が形成されており、
前記爪部は、前記突部と係合する凹部が形成されている、請求項１４の電子装置
（付記１７）
前記筺体は、前記第１及び第２開口と異なる形状の第３開口を有し、
前記カバー部材は、前記第３開口に挿抜可能な第３面を有している、付記１２乃至１６の何れかの電子装置。
（付記１８）
前記第１及び第２開口には、それぞれ形状が異なる第１及び第２電子ユニットが挿抜可能である、付記１２乃至１７の何れかの電子装置
【図面の簡単な説明】
【００４２】
【図１】実施例１の電子装置を示した図である。
【図２】ブランク部材の外観図である。
【図３】ブランク部材をステーへ取付ける際の斜視図である。
【図４】係合片を係合溝に挿入する場合の説明図である。
【図５】係合溝に係合片を挿入した状態での、ステーとブランク部材とを側面から見た図である。
【図６】電子ユニットがスロットに挿入されてステーに取り付けられている状態を示した図である。
【図７】実施例２のブランク部材の説明図である。
【図８】実施例２のブランク部材の上面図である。
【図９】ステーに対するブランク部材の取付の説明図である。
【図１０】ブランク部材の取付前を示した図である。
【図１１】爪部周辺の拡大断面図である。
【図１２】電子ユニットがスロットに挿入されてステーに取り付けられている状態を示した図である。
【符号の説明】
【００４３】
１０ａ、１０ｂ、２０ａ、２０ｂ  ステー
１１ａ、２１ａ  ベース部
１３ａ、２３ａ、２３ｂ  爪部
１５ａ  係合溝
２５ａ、２５ｂ  傾斜面
３０ａ、３０ｂ  電子ユニット
５０、６０  ブランク部材
５１ａ、５１ｂ、６１ａ〜６１ｃ  面
５３ａ、５３ｂ、６３ａ〜６３ｃ  取っ手
５５ａ、５５ｂ  係合片
５５５ａ  突部
６５ａ〜６５ｃ  係合溝
７０  イジェクター
６５１ａ〜６５１ｃ  凸部
【図１】
2010087437.tif 000003
【図２】
2010087437.tif 000004
【図３】
2010087437.tif 000005
【図４】
2010087437.tif 000006
【図５】
2010087437.tif 000007
【図６】
2010087437.tif 000008
【図７】
2010087437.tif 000009
【図８】
2010087437.tif 000010
【図９】
2010087437.tif 000011
【図１０】
2010087437.tif 000012
【図１１】
2010087437.tif 000013
【図１２】
2010087437.tif 000014